(57)【要約】【課題】主線路と副線路との結合度を高くすることができる方向性結合器を提供することである。【解決手段】本発明に係る方向性結合器は、第１の主線路部、及び、該第１の方向から平面視したときに、該第１の主線路部に対して該第１の方向に直交する第２の方向に位置している第２の主線路部を含む主線路と、第１の副線路部であって、第１の主線路部と電磁気的に結合している第１の副線路部、及び、第１の方向から平面視したときに、第１の副線路部に対して第２の方向に位置している第２の副線路部であって、第２の主線路部と電磁気的に結合している第２の副線路部を含む副線路と、第１の方向から平面視したときに、第１の主線路部及び第２の副線路部と重なっている無給電素子と、を備えていること、を特徴とする。【選択図】図３
2016025555.tif 000002
【特許請求の範囲】
【請求項１】
第１の方向から平面視したときに、渦巻状をなしている第１の主線路部、及び、該第１の方向から平面視したときに、該第１の主線路部に対して該第１の方向に直交する第２の方向に位置し、かつ、渦巻状をなしている第２の主線路部を含む主線路と、
第１の方向から平面視したときに、渦巻状をなしている第１の副線路部であって、前記第１の主線路部と電磁気的に結合している第１の副線路部、及び、該第１の方向から平面視したときに、該第１の副線路部に対して前記第２の方向に位置し、かつ、渦巻状をなしている第２の副線路部であって、前記第２の主線路部と電磁気的に結合している第２の副線路部を含む副線路と、
前記第１の方向から平面視したときに、前記第１の主線路部及び前記第２の副線路部と重なっている無給電素子と、
を備えていること、
を特徴とする方向性結合器。
【請求項２】
前記無給電素子は、前記第１の方向から平面視したときに、前記第１の主線路部、前記第２の主線路部、前記第１の副線路部及び前記第２の副線路部と重なっていること、
を特徴とする請求項１に記載の方向性結合器。
【請求項３】
前記無給電素子は、前記第１の方向から平面視したときに、環状をなしており、
前記第１の主線路部の中心、前記第２の主線路部の中心、前記第１の副線路部の中心、及び、前記第２の副線路部の中心は、前記第１の方向から平面視したときに、前記無給電素子に囲まれた領域内に位置していること、
を特徴とする請求項２に記載の方向性結合器。
【請求項４】
前記無給電素子は、前記第１の方向から平面視したときに環状をなす第１の環状部及び第２の環状部と、該第１の環状部と該第２の環状部とを接続する接続部と、を含んでおり、
前記第１の主線路部の中心及び前記第１の副線路部の中心は、前記第１の方向から平面視したときに、前記第１の環状部に囲まれた領域内に位置しており、
前記第２の主線路部の中心及び前記第２の副線路部の中心は、前記第１の方向から平面視したときに、前記第２の環状部に囲まれた領域内に位置していること、
を特徴とする請求項２に記載の方向性結合器。
【請求項５】
前記第１の副線路部は、前記第１の主線路部に対して前記第１の方向の一方側に位置しており、
前記第２の副線路部は、前記第２の主線路部に対して前記第１の方向の一方側に位置しており、
前記無給電素子は、前記第１の方向において、前記第１の主線路部と前記第１の副線路部の間、及び、前記第２の主線路部と前記第２の副線路部との間に位置していること、
を特徴とする請求項１ないし請求項４のいずれかに記載の方向性結合器。
【請求項６】
前記無給電素子は、複数の構成部が一体で形成されてなること、
を特徴とする請求項１ないし請求項４のいずれかに記載の方向性結合器。
【発明の詳細な説明】
【技術分野】
【０００１】
本発明は、方向性結合器に関し、より特定的には、互いに電磁気的に結合する主線路及び副線路を備えた方向性結合器に関する。
【背景技術】
【０００２】
従来の方向性結合器に関する発明としては、例えば、特許文献１に記載の方向性結合器が知られている。該方向性結合器は、渦巻状をなす第１の結合ライン及び第２の結合ラインを備えている。第１の結合ラインと第２の結合ラインとは、上下方向に重なっており、互いに電磁気的に結合している。これにより、第１の結合ラインが主線路として機能し、第２の結合ラインが副線路として機能する。
【０００３】
ところで、特許文献１に記載の方向性結合器において、第１の結合ライン（主線路）と第２の結合ライン（副線路）との結合度を高くしたいという要望がある。
【先行技術文献】
【特許文献】
【０００４】
【特許文献１】特許３２０３２５３号
【発明の概要】
【発明が解決しようとする課題】
【０００５】
そこで、本発明の目的は、主線路と副線路との結合度を高くすることができる方向性結合器を提供することである。
【課題を解決するための手段】
【０００６】
本発明の一形態に係る方向性結合器は、第１の方向から平面視したときに、渦巻状をなしている第１の主線路部、及び、該第１の方向から平面視したときに、該第１の主線路部に対して該第１の方向に直交する第２の方向に位置し、かつ、渦巻状をなしている第２の主線路部を含む主線路と、第１の方向から平面視したときに、渦巻状をなしている第１の副線路部であって、前記第１の主線路部と電磁気的に結合している第１の副線路部、及び、該第１の方向から平面視したときに、該第１の副線路部に対して前記第２の方向に位置し、かつ、渦巻状をなしている第２の副線路部であって、前記第２の主線路部と電磁気的に結合している第２の副線路部を含む副線路と、前記第１の方向から平面視したときに、前記第１の主線路部及び前記第２の副線路部と重なっている無給電素子と、を備えていること、を特徴とする。
【発明の効果】
【０００７】
本発明によれば、主線路と副線路との結合度を高くすることができる。
【図面の簡単な説明】
【０００８】
【図１】方向性結合器１０ａ〜１０ｅの等価回路図である。
【図２】方向性結合器１０ａ〜１０ｅの外観斜視図である。
【図３】方向性結合器１０ａの積層体１２の分解斜視図である。
【図４】第１のモデル及び第２のモデルのシミュレーション結果を示したグラフである。
【図５】第２の実施形態に係る方向性結合器１０ｂの積層体１２の分解斜視図である。
【図６】第３の実施形態に係る方向性結合器１０ｃの積層体１２の分解斜視図である。
【図７】第４の実施形態に係る方向性結合器１０ｄの積層体１２の分解斜視図である。
【図８】第５の実施形態に係る方向性結合器１０ｅの積層体１２の分解斜視図である。
【発明を実施するための形態】
【０００９】
（第１の実施形態）
以下に、第１の実施形態に係る方向性結合器について図面を参照しながら説明する。図１は、方向性結合器１０ａ〜１０ｅの等価回路図である。
【００１０】
方向性結合器１０ａの回路構成について説明する。方向性結合器１０ａは、所定の周波数帯域において用いられる。所定の周波数帯域とは、例えば、ＬＴＥ（Ｌｏｎｇ  Ｔｅｒｍ  Ｅｖｏｌｕｔｉｏｎ）が使用される周波数帯（例えば６９８ＭＨｚ〜３８００ＭＨｚ）である。
【００１１】
方向性結合器１０ａは、外部電極１４ａ〜１４ｊ、主線路Ｍ、副線路Ｓ、コンデンサＣ１〜Ｃ４及びリング導体Ｒを回路構成として備えている。主線路Ｍは、外部電極１４ａ，１４ｂ間に接続されており、主線路部Ｍ１，Ｍ３及び中間線路部Ｍ２を含んでいる。主線路部Ｍ１、中間線路部Ｍ２及び主線路部Ｍ３は、外部電極１４ａ，１４ｂ間においてこの順に直列に接続されている。
【００１２】
副線路Ｓは、外部電極１４ｃ，１４ｄ間に接続されており、副線路部Ｓ１，Ｓ３及び中間線路部Ｓ２を含んでいる。副線路部Ｓ１、中間線路部Ｓ２及び副線路部Ｓ３は、外部電極１４ｃ，１４ｄ間においてこの順に直列に接続されている。
【００１３】
また、主線路部Ｍ１と副線路部Ｓ１とは互いに電磁気的に結合している。主線路部Ｍ３と副線路部Ｓ３とは互いに電磁気的に結合している。
【００１４】
コンデンサＣ１は、外部電極１４ａと外部電極１４ｅ〜１４ｊとの間に接続されている。コンデンサＣ２は、外部電極１４ｂと外部電極１４ｅ〜１４ｊとの間に接続されている。コンデンサＣ３は、外部電極１４ｃと外部電極１４ｅ〜１４ｊとの間に接続されている。コンデンサＣ４は、外部電極１４ｄと外部電極１４ｅ〜１４ｊとの間に接続されている。
【００１５】
リング導体Ｒは、環状をなす導体層であり、主線路部Ｍ１，Ｍ３及び副線路部Ｓ１，Ｓ３と重なっている。リング導体Ｒは無給電素子であるので、リング導体Ｒの電位は浮遊電位である。リング導体Ｒは、主線路部Ｍ１と副線路部Ｓ１との間、及び、主線路部Ｍ３と副線路部Ｓ３との間に設けられている。これにより、リング導体Ｒは、主線路Ｍと副線路Ｓとの結合度を高くしている。
【００１６】
以上のような方向性結合器１０ａでは、外部電極１４ａが入力ポートとして用いられ、外部電極１４ｂが出力ポートとして用いられる。また、外部電極１４ｃは、カップリングポートとして用いられ、外部電極１４ｄは、５０Ωで終端化されるターミネートポートとして用いられる。また、外部電極１４ｅ〜１４ｊは、接地される接地ポートとして用いられる。そして、外部電極１４ａに対して高周波信号が入力されると、該高周波信号が外部電極１４ｂから出力される。更に、主線路Ｍと副線路Ｓとが電磁気的に結合しているので、外部電極１４ｂから出力される高周波信号の電力に比例する電力を有する高周波信号が外部電極１４ｃから出力される。
【００１７】
次に、第１の実施形態に係る方向性結合器１０ａの具体的構成について図面を参照しながら説明する。図２は、方向性結合器１０ａ〜１０ｅの外観斜視図である。図３は、方向性結合器１０ａの積層体１２の分解斜視図である。以下では、積層方向を上下方向と定義し、上側から平面視したときの方向性結合器１０ａの長辺方向を前後方向と定義し、上側から平面視したときの方向性結合器１０ａの短辺方向を左右方向と定義する。
【００１８】
方向性結合器１０ａは、図２及び図３に示すように、積層体１２、外部電極１４ａ〜１４ｊ、主線路Ｍ、副線路Ｓ、リング導体Ｒ、引き出し導体１８ａ，１８ｂ，２０ａ，２０ｂ、グランド導体２２，２４、コンデンサ導体２６ａ〜２６ｄ及びビアホール導体ｖ１〜ｖ４を備えている。
【００１９】
積層体１２は、図２に示すように、直方体状をなしており、図３に示すように、誘電体セラミックからなる長方形状の誘電体層１６ａ〜１６ｊが上側から下側へとこの順に並ぶように積層されることにより構成されている。以下では、積層体１２の上側の主面を上面、下側の主面を下面と呼ぶ。積層体１２の前側の端面を前面、後ろ側の端面を背面と呼ぶ。積層体１２の右側の側面を右面、左側の側面を左面と呼ぶ。積層体１２の下面は、方向性結合器１０ａが回路基板に実装される際に、回路基板と対向する実装面である。また、誘電体層１６ａ〜１６ｊの上側の面を表面と呼び、誘電体層１６ａ〜１６ｊの下側の面を裏面と呼ぶ。
【００２０】
外部電極１４ｂ，１４ｅ，１４ｆ，１４ｃは、積層体１２の左面において、後ろ側から前側へとこの順に並ぶように設けられている。外部電極１４ｂ，１４ｅ，１４ｆ，１４ｃは、上下方向に延在していると共に、上面及び下面に折り返されている。
【００２１】
外部電極１４ｄ，１４ｇ，１４ｈ，１４ａは、積層体１２の右面において、後ろ側から前側へとこの順に並ぶように設けられている。外部電極１４ｄ，１４ｇ，１４ｈ，１４ａは、上下方向に延在していると共に、上面及び下面に折り返されている。
【００２２】
外部電極１４ｉは、積層体１２の背面において上下方向に延在していると共に、上面及び下面に折り返されている。外部電極１４ｊは、積層体１２の前面において上下方向に延在していると共に、上面及び下面に折り返されている。
【００２３】
主線路Ｍは、積層体１２内に設けられており、主線路部Ｍ１，Ｍ３及び中間線路部Ｍ２を含んでいる。主線路部Ｍ１は、誘電体層１６ｄの表面の前側の半分に設けられている線状導体層である。主線路部Ｍ１は、上側から平面視したときに、誘電体層１６ｄの前側の半分の中央に位置する始点から誘電体層１６ｄの右側の前の角近傍に位置する終点に向かって反時計回りに複数周にわたって周回する渦巻状の導体層である。以下では、主線路部Ｍ１の始点を上流端と呼び、主線路部Ｍ１の終点を下流端と呼ぶ。また、主線路部Ｍ１の中心は、主線路部Ｍ１の上流端である。よって、主線路部Ｍ１は、反時計回りに周回しながら中心から遠ざかる渦巻状をなしている。
【００２４】
主線路部Ｍ３は、誘電体層１６ｄの表面の後ろ側の半分に設けられている線状導体層である。よって、主線路部Ｍ３は、上側から平面視したときに、主線路部Ｍ１に対して後ろ側に設けられている。また、主線路部Ｍ３は、上側から平面視したときに、誘電体層１６ｄの右後ろの角近傍に位置する始点から誘電体層１６ｄの後ろ側の半分の中央に位置する終点に向かって反時計回りに複数周にわたって周回している渦巻状の導体層である。以下では、主線路部Ｍ３の始点を上流端と呼び、主線路部Ｍ３の終点を下流端と呼ぶ。よって、主線路部Ｍ３の中心は、主線路部Ｍ３の下流端である。主線路部Ｍ３は、反時計回りに周回しながら中心に近づく渦巻状をなしている。
【００２５】
以上のような主線路部Ｍ１と主線路部Ｍ３とは、誘電体層１６ｄの中央を通過する直線であって、左右方向に延在する直線に関して線対称な関係にある。
【００２６】
中間線路部Ｍ２は、誘電体層１６ｄの表面に設けられている線状導体層である。中間線路部Ｍ２は、主線路部Ｍ１の下流端と主線路部Ｍ３の上流端とを接続しており、誘電体層１６ｄの右側の長辺に沿って延在している。すなわち、中間線路部Ｍ２は、主線路部Ｍ１と主線路部Ｍ３との間に接続されている。これにより、主線路部Ｍ１と主線路部Ｍ３とは、電気的に直列に接続されている。主線路部Ｍ１，Ｍ３及び中間線路部Ｍ２は、誘電体層１６ｄの表面にＣｕ又はＡｇからなる金属を主成分とする導電性ペーストが塗布されることにより作製されている。
【００２７】
引き出し導体１８ａは、主線路Ｍよりも上側に設けられており、具体的には、誘電体層１６ｃの表面に設けられている直線状の線状導体層である。引き出し導体１８ａの一方の端部は、上側から平面視したときに、主線路部Ｍ１の上流端と重なっている。引き出し導体１８ａの他方の端部は、誘電体層１６ｃの右側の長辺に引き出されており、外部電極１４ａと接続されている。
【００２８】
ビアホール導体ｖ１は、誘電体層１６ｃを上下方向に貫通しており、引き出し導体１８ａの一方の端部と主線路部Ｍ１の上流端とを接続している。
【００２９】
引き出し導体１８ｂは、主線路Ｍよりも上側に設けられており、具体的には、誘電体層１６ｃの表面に設けられている直線状の線状導体層である。引き出し導体１８ｂの一方の端部は、上側から平面視したときに、主線路部Ｍ３の下流端と重なっている。引き出し導体１８ｂの他方の端部は、誘電体層１６ｃの左側の長辺に引き出されており、外部電極１４ｂと接続されている。
【００３０】
ここで、引き出し導体１８ｂは、引き出し導体１８ａと実質的に同じ形状を有している。より詳細には、誘電体層１６ｃの中央を中心として引き出し導体１８ｂを１８０度回転させると、引き出し導体１８ａと一致する。すなわち、引き出し導体１８ａと引き出し導体１８ｂとは、誘電体層１６ｃの中央に関して点対称な関係となっている。
【００３１】
ビアホール導体ｖ２は、誘電体層１６ｃを上下方向に貫通しており、引き出し導体１８ｂの一方の端部と主線路部Ｍ３の下流端とを接続している。これにより、主線路Ｍは、外部電極１４ａ，１４ｂ間に接続されている。ビアホール導体ｖ１，ｖ２は、誘電体層１６ｃに設けられたビアホールに対してＣｕ又はＡｇからなる金属を主成分とする導電性ペーストが充填されることにより作製されている。
【００３２】
副線路Ｓは、積層体１２内に設けられており、副線路部Ｓ１，Ｓ３及び中間線路部Ｓ２を含んでいる。副線路Ｓは、主線路Ｍと同じ形状をなしており、上側から平面視したときに、一致した状態で重なっている。
【００３３】
副線路部Ｓ１は、誘電体層１６ｆの表面の前側の半分に設けられている線状導体層である。副線路部Ｓ１は、上側から平面視したときに、誘電体層１６ｆの前側の半分の中央に位置する始点から誘電体層１６ｆの右側の前の角近傍に位置する終点に向かって反時計回りに複数周にわたって周回する渦巻状の導体層である。以下では、副線路部Ｓ１の始点を上流端と呼び、副線路部Ｓ１の終点を下流端と呼ぶ。また、副線路部Ｓ１の中心は、副線路部Ｓ１の上流端である。よって、副線路部Ｓ１は、反時計回りに周回しながら中心から遠ざかる渦巻状をなしている。
【００３４】
副線路部Ｓ３は、誘電体層１６ｆの表面の後ろ側の半分に設けられている線状導体層である。よって、副線路部Ｓ３は、上側から平面視したときに、主線路部Ｍ１に対して後ろ側に設けられている。また、副線路部Ｓ３は、上側から平面視したときに、誘電体層１６ｆの右後ろの角近傍に位置する始点から誘電体層１６ｆの後ろ半分の中央に位置する終点に向かって反時計回りに複数周にわたって周回している渦巻状の導体層である。以下では、副線路部Ｓ３の始点を上流端と呼び、副線路部Ｓ３の終点を下流端と呼ぶ。よって、副線路部Ｓ３の中心は、副線路部Ｓ３の下流端である。副線路部Ｓ３は、反時計回りに周回しながら中心に近づく渦巻状をなしている。
【００３５】
以上のような副線路部Ｓ１と副線路部Ｓ３とは、誘電体層１６ｆの中央を通過する直線であって、左右方向に延在する直線に関して線対称な関係にある。
【００３６】
中間線路部Ｓ２は、誘電体層１６ｆの表面に設けられている線状導体層である。中間線路部Ｓ２は、副線路部Ｓ１の下流端と副線路部Ｓ３の上流端とを接続しており、誘電体層１６ｆの右側の長辺に沿って延在している。すなわち、中間線路部Ｓ２は、副線路部Ｓ１と副線路部Ｓ３との間に接続されている。これにより、副線路部Ｓ１と副線路部Ｓ３とは、電気的に直列に接続されている。副線路部Ｓ１，Ｓ３及び中間線路部Ｓ２は、誘電体層１６ｆの表面にＣｕ又はＡｇからなる金属を主成分とする導電性ペーストが塗布されることにより作製されている。
【００３７】
引き出し導体２０ａは、副線路Ｓよりも下側に設けられており、具体的には、誘電体層１６ｇの表面に設けられている直線状の線状導体層である。引き出し導体２０ａの一方の端部は、上側から平面視したときに、副線路部Ｓ１の上流端と重なっている。引き出し導体２０ａの他方の端部は、誘電体層１６ｇの左側の長辺に引き出されており、外部電極１４ｃと接続されている。また、引き出し導体２０ａは、引き出し導体１８ａと同じ長さを有している。
【００３８】
ビアホール導体ｖ３は、誘電体層１６ｆを上下方向に貫通しており、引き出し導体２０ａの一方の端部と副線路部Ｓ１の上流端とを接続している。
【００３９】
引き出し導体２０ｂは、副線路Ｓよりも下側に設けられており、具体的には、誘電体層１６ｇの表面に設けられている直線状の線状導体層である。引き出し導体２０ｂの一方の端部は、上側から平面視したときに、副線路部Ｓ３の下流端と重なっている。引き出し導体２０ｂの他方の端部は、誘電体層１６ｇの右側の長辺に引き出されており、外部電極１４ｄと接続されている。また、引き出し導体２０ｂは、引き出し導体１８ｂと同じ長さを有している。
【００４０】
ここで、引き出し導体２０ｂは、引き出し導体２０ａと同じ形状を有している。より詳細には、誘電体層１６ｇの中央を中心として引き出し導体２０ｂを１８０度回転させると、引き出し導体２０ａと一致する。すなわち、引き出し導体２０ａと引き出し導体２０ｂとは、誘電体層１６ｇの中央に関して点対称な関係となっている。引き出し導体１８ａ，１８ｂ，２０ａ，２０ｂは、誘電体層１６ｃ，１６ｇの表面にＣｕ又はＡｇからなる金属を主成分とする導電性ペーストが塗布されることにより作製されている。
【００４１】
ビアホール導体ｖ４は、誘電体層１６ｆを上下方向に貫通しており、引き出し導体２０ｂの一方の端部と副線路部Ｓ３の下流端とを接続している。これにより、副線路Ｓは、外部電極１４ｃ，１４ｄ間に接続されている。ビアホール導体ｖ３，ｖ４は、誘電体層１６ｆに設けられたビアホールに対してＣｕ又はＡｇからなる金属を主成分とする導電性ペーストが充填されることにより作製されている。
【００４２】
リング導体Ｒは、誘電体層１６ｅの表面に設けられており、上側から平面視したときに、環状をなす導体層である。また、リング導体Ｒは、主線路部Ｍ１，Ｍ３及び副線路部Ｓ１，Ｓ３と重なっている。本実施形態では、リング導体Ｒは、上側から平面視したときに、前後方向に延在する長辺を有する長方形状の枠型をなしている。そして、主線路部Ｍ１の中心、主線路部Ｍ３の中心、副線路部Ｓ１の中心及び副線路部Ｓ３の中心は、上側から平面視したときに、リング導体Ｒに囲まれた領域内に位置している。リング導体Ｒは無給電素子であるので、他の導体とは接続されていない。更に、リング導体Ｒは、上下方向において、主線路部Ｍ１と副線路部Ｓ１との間、及び、主線路部Ｍ３と副線路部Ｓ３との間に設けられている。
【００４３】
グランド導体２２は、積層体１２に設けられ、主線路Ｍ、副線路Ｓ、リング導体Ｒ及び引き出し導体１８ａ，１８ｂ，２０ａ，２０ｂよりも上側に設けられている。より詳細には、グランド導体２２は、誘電体層１６ｂの表面の略全面を覆うように設けられており、長方形状をなしている。また、グランド導体２２は、誘電体層１６ｂの各辺に引き出されており、外部電極１４ｅ〜１４ｊと接続されている。
【００４４】
グランド導体２４は、積層体１２に設けられ、主線路Ｍ、副線路Ｓ、リング導体Ｒ及び引き出し導体１８ａ，１８ｂ，２０ａ，２０ｂよりも下側に設けられている。より詳細には、グランド導体２４は、誘電体層１６ｈの表面の略全面を覆うように設けられており、長方形状をなしている。また、グランド導体２４は、誘電体層１６ｈの各辺に引き出されており、外部電極１４ｅ〜１４ｊと接続されている。グランド導体２２，２４は、誘電体層１６ｂ，１６ｈの表面にＣｕ又はＡｇからなる金属を主成分とする導電性ペーストが塗布されることにより作製されている。
【００４５】
コンデンサ導体２６ａ〜２６ｄは、積層体１２に設けられ、グランド導体２４よりも下側に設けられている。より詳細には、コンデンサ導体２６ａ〜２６ｄは、誘電体層１６ｉの表面に設けられている矩形状の導体層である。コンデンサ導体２６ａは、誘電体層１６ｉの右側の長辺に引き出されており、外部電極１４ａと接続されている。また、コンデンサ導体２６ａは、誘電体層１６ｈを介してグランド導体２４と対向することにより、コンデンサＣ１を形成している。これにより、コンデンサＣ１は、外部電極１４ａ，１４ｅ〜１４ｊ間に接続されている。
【００４６】
コンデンサ導体２６ｂは、誘電体層１６ｉの左側の長辺に引き出されており、外部電極１４ｂと接続されている。また、コンデンサ導体２６ｂは、誘電体層１６ｈを介してグランド導体２４と対向することにより、コンデンサＣ２を形成している。これにより、コンデンサＣ２は、外部電極１４ｂ，１４ｅ〜１４ｊ間に接続されている。
【００４７】
コンデンサ導体２６ｃは、誘電体層１６ｉの左側の長辺に引き出されており、外部電極１４ｃと接続されている。また、コンデンサ導体２６ｃは、誘電体層１６ｈを介してグランド導体２４と対向することにより、コンデンサＣ３を形成している。これにより、コンデンサＣ３は、外部電極１４ｃ，１４ｅ〜１４ｊ間に接続されている。
【００４８】
コンデンサ導体２６ｄは、誘電体層１６ｉの右側の長辺に引き出されており、外部電極１４ｄと接続されている。また、コンデンサ導体２６ｄは、誘電体層１６ｈを介してグランド導体２４と対向することにより、コンデンサＣ４を形成している。これにより、コンデンサＣ４は、外部電極１４ｄ，１４ｅ〜１４ｊ間に接続されている。コンデンサ導体２６ａ〜２６ｄは、誘電体層１６ｊの表面にＣｕ又はＡｇを主成分とする導電性ペーストが塗布されることにより作製されている。
【００４９】
（効果）
以上のように構成された方向性結合器１０ａによれば、主線路Ｍと副線路Ｓとの結合度を高くすることができる。より詳細には、方向性結合器１０ａは、リング導体Ｒを備えている。リング導体Ｒは、上側から平面視したときに、主線路部Ｍ１，Ｍ３及び副線路部Ｓ１，Ｓ３と重なっている。これにより、主線路部Ｍ１と副線路部Ｓ１との間にリング導体Ｒを介して容量が形成されると共に、主線路部Ｍ３と副線路部Ｓ３との間にリング導体Ｒを介して容量が形成される。すなわち、主線路Ｍと副線路Ｓとの間に容量が形成される。その結果、主線路Ｍと副線路Ｓとが強く容量結合するようになり、主線路Ｍと副線路Ｓとの結合度が高くなる。
【００５０】
また、方向性結合器１０ａでは、主線路部Ｍ１の中心、主線路部Ｍ３の中心、副線路部Ｓ１の中心及び副線路部Ｓ３の中心は、上側から平面視したときに、リング導体Ｒに囲まれた領域内に位置している。これにより、主線路部Ｍ１、主線路部Ｍ３、副線路部Ｓ１及び副線路部Ｓ３が発生した磁束が、リング導体Ｒにより妨げられることが抑制される。
【００５１】
本願発明者は、方向性結合器１０ａが奏する効果をより明確にするために、以下に説明するコンピュータシミュレーションを行った。本願発明者は、方向性結合器１０ａからリング導体Ｒを取り除いた方向性結合器を第１のモデルとして作成し、方向性結合器１０ａを第２のモデルとして作成した。そして、第１のモデル及び第２のモデルのカップリング特性及びアイソレーション特性をコンピュータに演算させた。カップリング特性とは、外部電極１４ａ（入力ポート）から入力した高周波信号の電力に対する外部電極１４ｃ（カップリングポート）から出力した高周波信号の電力の比の値である。アイソレーション特性とは、外部電極１４ａ（入力ポート）から出力した高周波信号の電力に対する外部電極１４ｄ（ターミネートポート）から出力した高周波信号の電力の比の値である。そして、本願発明者は、アイソレーション特性をカップリング特性で割った値を結合度として計算した。
【００５２】
図４は、第１のモデル及び第２のモデルのシミュレーション結果を示したグラフである。図４において、縦軸は結合度（ｄＢ）を示し、横軸は周波数（ＧＨｚ）を示す。図４では、縦軸の上側に行く程に結合度が高くなり、縦軸の下側に行く程に結合度が低くなっていることを意味している。
【００５３】
図４によれば、第２のモデルの結合度の方が第１のモデルの結合度よりも高くなっていることが分かる。よって、方向性結合器１０ａにおいて、リング導体Ｒが設けられることにより、主線路Ｍと副線路Ｓとの結合度が高くなることが分かる。
【００５４】
また、主線路Ｍは、上側から平面視したときに、副線路Ｓと同じ形状を有し、かつ、副線路Ｓと一致した状態で重なっている。これにより、主線路Ｍの構造と副線路Ｓの構造とを近づけることができる。その結果、主線路Ｍの特性インピーダンス等の電気的特性と副線路Ｓの特性インピーダンス等の電気的特性とを近づけることができる。よって、外部電極１４ｂから出力される信号の位相と外部電極１４ｃから出力される信号の位相との差が小さくなる。すなわち、方向性結合器１０ａの位相差特性が向上する。
【００５５】
また、引き出し導体１８ａと引き出し導体２０ａとは同じ長さを有しているので、これらの抵抗値と位相変化が略等しくなる。よって、外部電極１４ａ，１４ｂ間の特性インピーダンス等の電気的特性と外部電極１４ｃ，１４ｄ間の特性インピーダンス等の電気的特性とが近づくようになる。更に、方向性結合器１０ａの位相差特性が向上する。また、引き出し導体１８ｂと引き出し導体２０ｂとに関しても同様のことが言える。
【００５６】
また、引き出し導体１８ａ，１８ｂ，２０ａ，２０ｂが直線状をなしているので、最短で外部電極と接続することができるため、これらの引き出し導体が持つ抵抗値を小さくでき、不要な磁気結合、容量結合を低減できる。よって、方向性結合器１０ａの挿入損失が低減される。
【００５７】
また、方向性結合器１０ａでは、外部電極１４ａと外部電極１４ｅ〜１４ｊとの間にコンデンサＣ１が設けられ、外部電極１４ｂと外部電極１４ｅ〜１４ｊとの間にコンデンサＣ２が設けられ、外部電極１４ｃと外部電極１４ｅ〜１４ｊとの間にコンデンサＣ３が設けられ、外部電極１４ｄと外部電極１４ｅ〜１４ｊとの間にコンデンサＣ４が設けられている。これにより、コンデンサＣ１〜Ｃ４の容量値を調整することによって、外部電極１４ａ，１４ｂ間の特性インピーダンス及び外部電極１４ｃ，１４ｄ間の特性インピーダンスを調整することが可能となる。よって、これらの特性インピーダンスを近づけることによって、方向性結合器１０ａの位相差特性を向上させることができる。
【００５８】
また、グランド導体２２は、主線路Ｍ、副線路Ｓ及び引き出し導体１８ａ，１８ｂ，２０ａ，２０ｂよりも上側に設けられている。これにより、方向性結合器１０ａに上側から入力するノイズが、グランド導体２２により吸収されるようになる。その結果、主線路Ｍ、副線路Ｓ及び引き出し導体１８ａ，１８ｂ，２０ａ，２０ｂにノイズが入出力されることが抑制される。
【００５９】
また、グランド導体２４は、主線路Ｍ、副線路Ｓ及び引き出し導体１８ａ，１８ｂ，２０ａ，２０ｂよりも下側に設けられている。これにより、方向性結合器１０ａに下側から入力するノイズが、グランド導体２４により吸収されるようになる。その結果、主線路Ｍ、副線路Ｓ及び引き出し導体１８ａ，１８ｂ，２０ａ，２０ｂにノイズが入出力されることが抑制される。
【００６０】
また、グランド導体２４は、主線路Ｍ、副線路Ｓ及び引き出し導体１８ａ，１８ｂ，２０ａ，２０ｂとコンデンサ導体２６ａ〜２６ｄとの間に設けられている。これにより、主線路Ｍ、副線路Ｓ及び引き出し導体１８ａ，１８ｂ，２０ａ，２０ｂとコンデンサ導体２６ａ〜２６ｄとの間に不要な容量が形成されることが抑制される。
【００６１】
（第２の実施形態）
以下に、第２の実施形態に係る方向性結合器１０ｂについて図面を参照しながら説明する。図５は、第２の実施形態に係る方向性結合器１０ｂの積層体１２の分解斜視図である。また、方向性結合器１０ｅの外観斜視図については、図２を援用する。
【００６２】
方向性結合器１０ｂは、中間線路部Ｍ２が上下方向において主線路部Ｍ１，Ｍ３とは異なる位置に設けられ、中間線路部Ｓ２が上下方向において副線路部Ｓ１，Ｓ３とは異なる位置に設けられている点において、方向性結合器１０ａと相違する。より詳細には、主線路部Ｍ１，Ｍ３は、誘電体層１６ｄの表面上に設けられており、中間線路部Ｍ２は、誘電体層１６ｅの表面上に設けられている。また、副線路部Ｓ１，Ｓ３は、誘電体層１６ｇの表面上に設けられており、中間線路部Ｓ２は、誘電体層１６ｆの表面上に設けられている。
【００６３】
ビアホール導体ｖ５は、誘電体層１６ｄを上下方向に貫通しており、主線路部Ｍ１の下流端と中間線路部Ｍ２の前側の端部とを接続している。ビアホール導体ｖ６は、誘電体層１６ｄを上下方向に貫通しており、主線路部Ｍ３の上流端と中間線路部Ｍ２の後ろ側の端部とを接続している。
【００６４】
ビアホール導体ｖ７は、誘電体層１６ｆを上下方向に貫通しており、副線路部Ｓ１の下流端と中間線路部Ｓ２の前側の端部とを接続している。ビアホール導体ｖ８は、誘電体層１６ｆを上下方向に貫通しており、副線路部Ｓ３の上流端と中間線路部Ｓ２の後ろ側の端部とを接続している。
【００６５】
リング導体Ｒは、誘電体層１６ｅの表面上に設けられている。
【００６６】
以上のように構成された方向性結合器１０ｂによれば、方向性結合器１０ａと同じ作用効果を奏することができる。
【００６７】
（第３の実施形態）
以下に、第３の実施形態に係る方向性結合器１０ｃについて図面を参照しながら説明する。図６は、第３の実施形態に係る方向性結合器１０ｃの積層体１２の分解斜視図である。また、方向性結合器１０ｃの外観斜視図については、図２を援用する。
【００６８】
方向性結合器１０ｃは、主線路部Ｍ１及び副線路部Ｓ１の周回方向において、方向性結合器１０ａと相違する。より詳細には、方向性結合器１０ａでは、主線路部Ｍ１及び副線路部Ｓ１は、反時計回りに周回しながら中心から遠ざかる渦巻状をなしていたのに対して、方向性結合器１０ｃでは、主線路部Ｍ１及び副線路部Ｓ１は、時計回りに周回しながら中心から遠ざかる渦巻状をなしている。
【００６９】
以上のように構成された方向性結合器１０ｃによれば、方向性結合器１０ａと同じ作用効果を奏することができる。
【００７０】
（第４の実施形態）
以下に、第４の実施形態に係る方向性結合器１０ｄについて図面を参照しながら説明する。図７は、第４の実施形態に係る方向性結合器１０ｄの積層体１２の分解斜視図である。また、方向性結合器１０ｄの外観斜視図については、図２を援用する。
【００７１】
方向性結合器１０ｄは、リング導体Ｒ'の形状において方向性結合器１０ａと相違する。より詳細には、リング導体Ｒ'は、環状部Ｒ１，Ｒ２及び接続部Ｒ３を含んでおり、環状部Ｒ１，Ｒ２及び接続部Ｒ３が一体的に形成されてなる。環状部Ｒ１は、正方形状の環状をなす導体層であり、誘電体層１６ｅの表面の前側の半分に設けられている。環状部Ｒ２は、正方形状の環状をなす導体層であり、誘電体層１６ｅの表面の後ろ半分に設けられている。接続部Ｒ３は、環状部Ｒ１と環状部Ｒ２とを接続する導体層であり、誘電体層１６ｅの表面上に設けられている。
【００７２】
主線路部Ｍ１の中心及び副線路部Ｓ１の中心は、上側から平面視したときに、環状部Ｒ１に囲まれた領域内に位置している。主線路部Ｍ３の中心及び副線路部Ｓ３の中心は、上側から平面視したときに、環状部Ｒ２に囲まれた領域内に位置している。
【００７３】
以上のように構成された方向性結合器１０ｄによれば、方向性結合器１０ａと同じ作用効果を奏することができる。
【００７４】
（第５の実施形態）
以下に、第５の実施形態に係る方向性結合器１０ｅについて図面を参照しながら説明する。図８は、第５の実施形態に係る方向性結合器１０ｅの積層体１２の分解斜視図である。また、方向性結合器１０ｅの外観斜視図については、図２を援用する。
【００７５】
方向性結合器１０ｅは、リング導体Ｒの代わりに結合導体Ｋが設けられている点において方向性結合器１０ａと相違する。より詳細には、結合導体Ｋは、長方形状をなす導体層であり、誘電体層１６ｅの表面に設けられている。また、結合導体Ｋは、上側から平面視したときに、主線路部Ｍ１，Ｍ３及び副線路部Ｓ１，Ｓ３と重なっている。
【００７６】
以上のように構成された方向性結合器１０ｅによれば、方向性結合器１０ａと同じ作用効果を奏することができる。
【００７７】
（その他の実施形態）
本発明に係る方向性結合器は、前記実施形態に係る方向性結合器１０ａ〜１０ｅに限らず、その要旨の範囲内において変更可能である。
【００７８】
なお、方向性結合器１０ａ〜１０ｅの構成を任意に組み合わせてもよい。
【００７９】
なお、方向性結合器１０ｄにおいて、中間線路部Ｍ２及び中間線路部Ｓ２は、上下方向に同じ位置に設けられていてもよい。すなわち、中間線路部Ｍ２及び中間線路部Ｓ２は、同じ誘電体層上に設けられていてもよい。この場合、方向性結合器１０ｄのように、上側から平面視したときに、中間線路部Ｍ２と中間線路部Ｓ２とは、重なっているのではなく、ずれている必要がある。
【００８０】
なお、方向性結合器１０ｂにおいて、中間線路部Ｍ２又は中間線路部Ｓ２の絶縁体層における前後方向及び／又は左右方向の位置を変更することによって、中間線路部Ｍ２と中間線路部Ｓ２との間隔を調整して、主線路Ｍと副線路Ｓとの結合度を微調整してもよい。
【００８１】
また、方向性結合器１０ａ〜１０ｅにおいて、中間線路部Ｍ２の線幅と中間線路部Ｓ２の線幅とが異なっていてもよい。同様に、主線路部Ｍ１の線幅と副線路部Ｓ１の線幅とが異なっていてもよいし、主線路部Ｍ３の線幅と副線路部Ｓ３の線幅とが異なっていてもよい。このように、主線路部Ｍ１，Ｍ３、中間線路部Ｍ２、副線路部Ｓ１，Ｓ３及び中間線路部Ｓ２の線幅を調整することにより、主線路Ｍの特性インピーダンス及び副線路Ｓの特性インピーダンスを調整できる。
【００８２】
なお、方向性結合器１０ａ〜１０ｅにおいて、外部電極１４ａ〜１４ｄが下面に折り返されている部分（以下、折り返し部１５ａ〜１５ｄ（図３参照））はそれぞれ、上側から平面視したときに、コンデンサ導体２６ａ〜２６ｄよりも小さく、かつ、コンデンサ導体２６ａ〜２６ｄに収まっている（すなわち、はみ出していない）ことが好ましい。これにより、折り返し部１５ａ〜１５ｄとグランド導体２４との間に不要な容量が形成されることが抑制される。
【００８３】
なお、主線路部Ｍ１と主線路部Ｍ３とは、異なる誘電体層に設けられていてもよい。
【００８４】
また、副線路部Ｓ１と副線路部Ｓ３とは、異なる誘電体層に設けられていてもよい。
【００８５】
また、主線路部Ｍ１の形状と副線路部Ｓ１の形状とは異なっていてもよいし、中間線路部Ｍ２の形状と中間線路部Ｓ２の形状とは異なっていてもよいし、主線路部Ｍ３の形状と副線路部Ｓ３の形状とは異なっていてもよい。
【００８６】
なお、方向性結合器１０ａ〜１０ｅにおいて、リング導体Ｒ及び結合導体Ｋは、上側から平面視したときに、少なくとも主線路部Ｍ１と副線路部Ｓ３と重なっていればよい。すなわち、リング導体Ｒ及び結合導体Ｋは、主線路部Ｍ３及び副線路部Ｓ１と重なっていなくてもよい。また、リング導体Ｒ及び結合導体Ｋは、上側から平面視したときに、少なくとも主線路部Ｍ３と副線路部Ｓ１と重なっていればよい。すなわち、リング導体Ｒ及び結合導体Ｋは、主線路部Ｍ１及び副線路部Ｓ３と重なっていなくてもよい。
【００８７】
なお、方向性結合器１０ａ〜１０ｅにおいて、主線路部Ｍ３と副線路部Ｓ３との位置関係が入れ替わっていてもよい。例えば、方向性結合器１０ａにおいて、副線路部Ｓ１及び主線路部Ｍ３が、誘電体層１６ｆの表面に設けられ、主線路部Ｍ１及び副線路部Ｓ３が、誘電体層１６ｄの表面に設けられていてもよい。なお、この場合には、リング導体Ｒは、副線路部Ｓ１及び主線路部Ｍ３よりも下側、又は、主線路部Ｍ１及び副線路部Ｓ３よりも上側に設けられていてもよい。
【産業上の利用可能性】
【００８８】
以上のように、本発明は、方向性結合器に有用であり、特に、主線路と副線路との結合度を高くすることができる点において優れている。
【符号の説明】
【００８９】
１０ａ〜１０ｅ：方向性結合器
１２：積層体
１６ａ〜１６ｊ：誘電体層
Ｋ：結合導体
Ｍ：主線路
Ｍ１，Ｍ３：主線路部
Ｍ２，Ｓ２：中間線路部
Ｍ３：主線路部
Ｒ，Ｒ'：リング導体
Ｒ１，Ｒ２：環状部
Ｒ３：接続部
Ｓ：副線路
Ｓ１，Ｓ３：副線路部
【図１】
2016025555.tif 000003
【図２】
2016025555.tif 000004
【図３】
2016025555.tif 000005
【図４】
2016025555.tif 000006
【図５】
2016025555.tif 000007
【図６】
2016025555.tif 000008
【図７】
2016025555.tif 000009
【図８】
2016025555.tif 000010